(57)【要約】【課題】機能限定ドライバの利用価値を高めることが可能な印刷指示装置、ドライバのインストール方法及びドライバのインストールプログラムを提供する。【解決手段】印刷機器に印刷を実行させる印刷指示装置は、記憶装置１３と、ＣＰＵ１１とを有している。記憶装置１３は、機能限定ドライバがインストールされた場合、機能限定ドライバをインストールしたことを示す識別情報を記憶する。その後、標準ドライバがインストールされる場合、ＣＰＵ１１は、記憶装置１３に識別情報が記憶されているか否かを判断し、識別情報が記憶されていると判断した場合に、標準ドライバのインストールを禁止し、又は、インストールされた標準ドライバを削除する。【選択図】図２
2010129021.tif 000002
【特許請求の範囲】
【請求項１】
印刷機器に印刷を実行させる印刷指示装置であって、
印刷時の設定及び印刷画像を前記印刷機器が解読可能な情報に変換する標準ドライバ、及び、印刷時の設定及び印刷画像を前記印刷機器が解読可能な情報に変換すると共に前記標準ドライバよりも印刷時の設定内容に制限が付された機能限定ドライバのうち、前記機能限定ドライバのインストール時に、前記機能限定ドライバをインストールしたことを示す識別情報を記憶する記憶手段と、
前記標準ドライバのインストール時に、前記記憶手段に前記識別情報が記憶されているか否かを判断し、前記識別情報が記憶されていると判断した場合に、前記標準ドライバのインストールを禁止し、又は、インストールされた前記標準ドライバを削除する制御手段と、
を備えることを特徴とする印刷指示装置。
【請求項２】
前記制御手段は、前記記憶手段によって前記標準ドライバをインストールするインストーラが記憶され、前記インストーラによって前記標準ドライバをインストールする操作が行われた場合、前記標準ドライバのインストールを禁止する
ことを特徴とする請求項１に記載の印刷指示装置。
【請求項３】
前記制御手段は、前記標準ドライバをインストールするインストーラをダウンロードすることなく、前記標準ドライバをインストールする場合、インストールされた前記標準ドライバを削除する
ことを特徴とする請求項１又は請求項２のいずれかに記載の印刷指示装置。
【請求項４】
インストールされた前記標準ドライバを削除した場合、前記機能限定ドライバをインストールする旨を表示する表示手段をさらに備える
ことを特徴とする請求項３に記載の印刷指示装置。
【請求項５】
前記識別情報は、プリンタドライバの名称を示すレジストリキーと、前記レジストリキーにより示される名称のプリンタドライバが前記標準ドライバであるか前記機能限定ドライバであるかを示すレジストリデータとを有している
ことを特徴とする請求項１から請求項４のいずれか１項に記載の印刷指示装置。
【請求項６】
印刷機器に印刷を実行させる印刷指示方法であって、
印刷時の設定及び印刷画像を前記印刷機器が解読可能な情報に変換する標準ドライバ、及び、印刷時の設定及び印刷画像を前記印刷機器が解読可能な情報に変換すると共に前記標準ドライバよりも印刷時の設定内容に制限が付された機能限定ドライバのうち、前記機能限定ドライバのインストール時に、前記機能限定ドライバをインストールしたことを示す識別情報を記憶する記憶工程と、
前記標準ドライバのインストール時に、前記記憶工程において前記識別情報が記憶されたか否かを判断し、前記識別情報が記憶されたと判断した場合に、前記標準ドライバのインストールを禁止し、又は、インストールされた前記標準ドライバを削除する制御工程と、
を有することを特徴とするドライバのインストール方法。
【請求項７】
前記制御工程では、前記標準ドライバをインストールするインストーラが記憶され、前記インストーラによって前記標準ドライバをインストールする操作が行われた場合、前記標準ドライバのインストールを禁止する
ことを特徴とする請求項６に記載のドライバのインストール方法。
【請求項８】
前記制御工程では、前記標準ドライバをインストールするインストーラをダウンロードすることなく、前記標準ドライバをインストールする場合、インストールされた前記標準ドライバを削除する
ことを特徴とする請求項６又は請求項７のいずれかに記載のドライバのインストール方法。
【請求項９】
インストールされた前記標準ドライバを削除した場合、前記機能限定ドライバをインストールする旨を表示する表示工程をさらに有する
ことを特徴とする請求項８に記載のドライバのインストール方法。
【請求項１０】
前記識別情報は、プリンタドライバの名称を示すレジストリキーと、前記レジストリキーにより示される名称のプリンタドライバが前記標準ドライバであるか前記機能限定ドライバであるかを示すレジストリデータとを有している
ことを特徴とする請求項６から請求項９のいずれか１項に記載のドライバのインストール方法。
【請求項１１】
印刷機器に印刷を実行させる印刷指示プログラムであって、
印刷時の設定及び印刷画像を前記印刷機器が解読可能な情報に変換する標準ドライバ、及び、印刷時の設定及び印刷画像を前記印刷機器が解読可能な情報に変換すると共に前記標準ドライバよりも印刷時の設定内容に制限が付された機能限定ドライバのうち、前記機能限定ドライバのインストール時に、前記機能限定ドライバをインストールしたことを示す識別情報を記憶する記憶工程と、
前記標準ドライバのインストール時に、前記記憶工程において前記識別情報が記憶されたか否かを判断し、前記識別情報が記憶されたと判断した場合に、前記標準ドライバのインストールを禁止し、又は、インストールされた前記標準ドライバを削除する制御工程と、
をコンピュータに実行させることを特徴とするドライバのインストールプログラム。
【発明の詳細な説明】
【技術分野】
【０００１】
本発明は、印刷指示装置、ドライバのインストール方法及びドライバのインストールプログラムに関する。
【背景技術】
【０００２】
従来、パーソナルコンピュータなどの印刷指示装置から、プリンタなどの印刷機器に対して印刷を実行させるために、プリンタドライバなるものが印刷指示装置にインストールされる。プリンタドライバのインストール方法は様々な方法がある。例えば、インターネット上などからプリンタドライバのインストーラを印刷指示装置にダウンロードし、インストーラを使ってプリンタドライバをインストールする方法がある。また、例えばＷｉｎｄｏｗｓ（登録商標）の場合、コントロールパネルの「プリンタとＦＡＸ」から「プリンタの追加」を選択させて実行させて、ウィザード上でユーザに必要情報を入力させることにより、プリンタドライバをインストールする方法がある（特許文献１の段落０００２参照）。
【特許文献１】特開２００４−２６５０６１号公報
【発明の開示】
【発明が解決しようとする課題】
【０００３】
しかし、従来の印刷指示装置におけるプリンタドライバのインストール方法では、以下の問題が生じてしまう。例えば、プリンタドライバには、印刷時の設定及び印刷画像を前記印刷機器が解読可能な情報に変換する標準ドライバ、及び、印刷時の設定及び印刷画像を前記印刷機器が解読可能な情報に変換すると共に前記標準ドライバよりも印刷時の設定内容に制限が付された機能限定ドライバが存在する。そして、オフィスなどでカラー印刷を禁止するなど、プリンタの使用を制限したい管理者等は、各社員の印刷指示装置に機能限定ドライバをインストールすることがある。
【０００４】
このような場合、各社員はプリンタの使用が制限されることとなる。しかしながら、社員が独自に標準ドライバをインストールした場合には、機能限定ドライバをインストールしておいたことに意味をなさなくなってしまう。
【０００５】
本発明は、このような従来の課題を解決するためになされたものであり、その目的とするところは、機能限定ドライバの利用価値を高めることが可能な印刷指示装置、ドライバのインストール方法及びドライバのインストールプログラムを提供することにある。
【課題を解決するための手段】
【０００６】
上記目的を達成するため、本発明に係る印刷指示装置は、印刷機器に印刷を実行させる印刷指示装置であって、印刷時の設定及び印刷画像を前記印刷機器が解読可能な情報に変換する標準ドライバ、及び、印刷時の設定及び印刷画像を前記印刷機器が解読可能な情報に変換すると共に前記標準ドライバよりも印刷時の設定内容に制限が付された機能限定ドライバのうち、前記機能限定ドライバのインストール時に、前記機能限定ドライバをインストールしたことを示す識別情報を記憶する記憶手段と、前記標準ドライバのインストール時に、前記記憶手段に前記識別情報が記憶されているか否かを判断し、前記識別情報が記憶されていると判断した場合に、前記標準ドライバのインストールを禁止し、又は、インストールされた前記標準ドライバを削除する制御手段と、を備えることを特徴とする。
【０００７】
また、本発明に係る印刷指示方法は、印刷機器に印刷を実行させる印刷指示方法であって、印刷時の設定及び印刷画像を前記印刷機器が解読可能な情報に変換する標準ドライバ、及び、印刷時の設定及び印刷画像を前記印刷機器が解読可能な情報に変換すると共に前記標準ドライバよりも印刷時の設定内容に制限が付された機能限定ドライバのうち、前記機能限定ドライバのインストール時に、前記機能限定ドライバをインストールしたことを示す識別情報を記憶する記憶工程と、前記標準ドライバのインストール時に、前記記憶工程において前記識別情報が記憶されたか否かを判断し、前記識別情報が記憶されたと判断した場合に、前記標準ドライバのインストールを禁止し、又は、インストールされた前記標準ドライバを削除する制御工程と、を有することを特徴とする。
【０００８】
また、本発明に係る印刷指示プログラムは、印刷機器に印刷を実行させる印刷指示プログラムであって、印刷時の設定及び印刷画像を前記印刷機器が解読可能な情報に変換する標準ドライバ、及び、印刷時の設定及び印刷画像を前記印刷機器が解読可能な情報に変換すると共に前記標準ドライバよりも印刷時の設定内容に制限が付された機能限定ドライバのうち、前記機能限定ドライバのインストール時に、前記機能限定ドライバをインストールしたことを示す識別情報を記憶する記憶工程と、前記標準ドライバのインストール時に、前記記憶工程において前記識別情報が記憶されたか否かを判断し、前記識別情報が記憶されたと判断した場合に、前記標準ドライバのインストールを禁止し、又は、インストールされた前記標準ドライバを削除する制御工程と、をコンピュータに実行させることを特徴とする。
【発明の効果】
【０００９】
本発明によれば、機能限定ドライバのインストール時に、機能限定ドライバをインストールしたことを示す識別情報を記憶し、標準ドライバのインストール時に、識別情報が記憶されているか否かを判断し、識別情報が記憶されていると判断した場合に、標準ドライバのインストールを禁止し、又は、インストールされた標準ドライバを削除する。このため、機能限定ドライバがインストールされた後に、標準ドライバをインストールしようとしても、ユーザは標準ドライバをインストールできず、またはインストールしたとしても標準ドライバを使用できないことなる。これにより、ユーザは、機能限定ドライバを使用することとなり、機能限定ドライバの利用価値を高めることができる。
【発明を実施するための最良の形態】
【００１０】
以下に本発明の実施の形態に基づいて、本発明を説明するが、本発明は該実施の形態に限られない。
【００１１】
図１は、本実施形態に係る印刷指示装置を含む印刷システム１を示す構成図である。印刷システム１は、パーソナルコンピュータなどの印刷指示装置１０と、プリンタなどの印刷機器２０とからなり、印刷指示装置１０から印刷機器２０に対して印刷を命令し、印刷機器２０において命令に従った印刷を実行するものである。
【００１２】
印刷指示装置１０は、図１に示すように、ＣＰＵ（Central Processing Unit）１１と、メモリ１２と、記憶装置１３と、入力装置１４と、表示装置１５と、入出力インターフェース１６とを有している。
【００１３】
ＣＰＵ１１は、印刷指示装置１０の制御部として機能するものであり、メモリ１２に記憶される各種プログラムを実行するものである。メモリ１２は、例えばＲＯＭ（Read Only Memory）や、ＲＡＭ（Random Access Memory）によって構成された記憶部であって、後述のドライバのインストールプログラム等を記憶している。記憶装置１３は、ハードディスクなどの大容量記憶装置である。入力装置１４は、例えばキーボードやマウスであって、ユーザからの各種入力操作を受け付けるものである。表示装置１５は、例えば液晶ディスプレイであって、各種画像や映像等を表示するものである。
【００１４】
また、上記記憶装置１３には、印刷時の設定及び印刷画像を印刷機器２０が解読可能な情報に変換するプリンタドライバが記憶される。このプリンタドライバには、標準ドライバと機能限定ドライバとがあり、機能限定ドライバは、標準ドライバよりも印刷時の設定内容に制限が付されている。印刷時の制限とは、例えばカラー印刷の禁止などが該当する。
【００１５】
図２は、ドライバのインストール方法の概略を示す概念図である。まず、管理者（又はユーザ）は、機能限定ドライバのインストーラをダウンロード等して記憶装置１３に記憶させる。そして、管理者は、機能限定ドライバのインストーラにより、機能限定ドライバをインストールする。これにより、記憶装置１３内のシステムフォルダ１３ａ内に機能限定ドライバがインストールされる（ステップＳ１）。また、インストーラは、レジストリ１３ｂ内に機能限定ドライバがインストールされたことを示す識別情報を記憶させる（ステップＳ２）。
【００１６】
ここで、識別情報は、レジストリキーとレジストリデータとからなっている。レジストリキーは、ベンダー名とプリンタドライバの名称とを示す情報を含んでおり、レジストリデータは、インストールされているドライバが機能限定ドライバであるか標準ドライバであるかを示す情報を含んでいる。
【００１７】
具体的にレジストリキーは、「ＨＫＥＹ＿ＬＯＣＡＬ＿ＭＡＣＨＩＮＥ￥ＳＯＦＴＷＡＲＥ￥○○○○○○○○￥××××××」などとなっている。ここで、「○○○○○○○○」がベンダー名であり、「××××××」がプリンタドライバの名称である。また、レジストリデータは、「ＬｉｍＤｒｖＩｎｓｔ＝１」となっている。ここで、「１」の数値が機能限定ドライバであることを示している。
【００１８】
また、例えばＷｉｎｄｏｗｓ（登録商標）の「プリンタの追加」を選択して機能限定ドライバをインストールするなどの場合、すなわち、機能限定ドライバをインストールするインストーラをダウンロードすることなく、機能限定ドライバをインストールする場合、直接的にシステムフォルダ１３ａ内に機能限定ドライバがインストールされる（ステップＳ３）。そして、機能限定ドライバ自体がレジストリ１３ｂに識別情報を記憶させる（ステップＳ４）。
【００１９】
図３は、図２に示した機能限定ドライバの機能構成を示す概念図である。図３に示すように、本実施形態において機能限定ドライバは、通常のドライバが有するドライバコアモジュール１００及びユーザインターフェースモジュール１０１に加えて、インストール情報記録モジュール１０２を備えている。上記した識別情報をレジストリ１３ｂに記憶させる動作は、インストール情報記録モジュール１０２によって行われることとなる。
【００２０】
再度、図２を参照して、標準ドライバのインストール方法を説明する。まず、ユーザが標準ドライバのインストーラをダウンロード等して記憶装置１３に記憶させる。そして、ユーザは、標準ドライバのインストーラにより、標準ドライバをインストールする。このとき、標準ドライバのインストーラは、レジストリ１３ｂ内に識別情報が記憶されているか否かを確認する（ステップＳ５）。そして、レジストリ１３ｂ内に識別情報が記憶されていた場合、インストーラは標準ドライバのインストールを禁止する。一方、レジストリ１３ｂ内に識別情報が記憶されていなかった場合、インストーラは標準ドライバをインストールする。これにより、記憶装置１３内のシステムフォルダ１３ａ内に標準ドライバがインストールされる（ステップＳ６）。
【００２１】
また、例えばＷｉｎｄｏｗｓ（登録商標）の「プリンタの追加」を選択して標準ドライバをインストールするなどの場合、すなわち、標準ドライバをインストールするインストーラをダウンロードすることなく、標準ドライバをインストールする場合、直接的にシステムフォルダ１３ａ内に標準ドライバがインストールされる（ステップＳ７）。そして、標準ドライバはレジストリ１３ｂに識別情報が記憶されているか否かを確認する（ステップＳ８）。
【００２２】
そして、レジストリ１３ｂに識別情報が記憶されていない場合、標準ドライバはそのままシステムフォルダ１３ａ内に記憶されたままとなり、以後の印刷処理においては標準ドライバが使用されることとなる。一方、レジストリ１３ｂに識別情報が記憶されている場合、標準ドライバは自らを削除し、標準ドライバの使用を禁止することとなる。なお、プリンタの追加機能等によって、標準ドライバをインストールする場合、ドライバのインストール自体は防止できないため、印刷指示装置１０は、標準ドライバをインストール後に削除することとしている。
【００２３】
図４は、図２に示した標準ドライバの機能構成を示す概念図である。図４に示すように、本実施形態において標準ドライバは、通常のドライバが有するドライバコアモジュール２００及びユーザインターフェースモジュール２０１に加えて、ドライバ削除モジュール２０２を備えている。上記した標準ドライバの削除動作は、このドライバ削除モジュール２０２によって行われることとなる。
【００２４】
次に、図５〜図９を参照して、ドライバのインストールプログラムによって実行されるドライバのインストール方法を詳細に説明する。
【００２５】
図５は、インストーラを利用した機能限定ドライバのインストール方法を示すフローチャートである。まず、図５に示すように、ＣＰＵ１１は、ＥＵＬＡ（End User License Agreement）を表示させる（ＳＴ１）。ここで、ＥＵＬＡとは、ユーザがそのソフトウェアを使用する上で守るべき条件などをまとめたものである。
【００２６】
次に、ＣＰＵ１１は、機能限定ドライバのうち、いずれの機能限定ドライバをインストールするかユーザに選択させる（ＳＴ２）。すなわち、機能限定ドライバにも複数種あり、そのうちいずれのドライバをインストールするかをユーザに選択させる。その後、ＣＰＵ１１は、ポートを選択する（ＳＴ３）。これにより、印刷先のアドレスが特定される。
【００２７】
その後、ドライバのインストール処理が実行される（ＳＴ４）。その後、上記したレジストリキーが生成されると共に（ＳＴ５）、レジストリデータが生成される（ＳＴ６）。そして、図５に示す処理は終了する。
【００２８】
図６は、プリンタの追加機能による機能限定ドライバのインストール方法を示すフローチャートである。まず、図６に示すように、ＣＰＵ１１は、「プリンタの追加」によるインストールが完了したか否かを判断する（ＳＴ１１）。インストールが完了したか否かは、画面上にアイコンが作成されたか否かによって判断される。「プリンタの追加」によるインストールが完了していないと判断した場合（ＳＴ１１：ＮＯ）、完了したと判断されるまで、この処理が繰り返される。
【００２９】
一方、「プリンタの追加」によるインストールが完了したと判断した場合（ＳＴ１１：ＹＥＳ）、上記したレジストリキーが生成されると共に（ＳＴ１２）、レジストリデータが生成される（ＳＴ１３）。
【００３０】
次に、ＣＰＵ１１は、機能限定ドライバによる印刷処理を実行し（ＳＴ１４）、印刷処理が終了したか否かを判断する（ＳＴ１５）。印刷処理が終了していないと判断した場合（ＳＴ１５：ＮＯ）、処理はステップＳＴ１４に移行する。一方、印刷処理が終了したと判断した場合（ＳＴ１５：ＹＥＳ）、図６に示した処理は終了する。
【００３１】
図７は、インストーラを利用した標準ドライバのインストール方法を示すフローチャートである。まず、図７に示すように、ＣＰＵ１１は、レジストリ１３ｂ内に識別情報が存在するか否かを判断する（ＳＴ２１）。すなわち、ＣＰＵ１１は、インストールしようとしている標準ドライバと同一のレジストリキーが存在し、且つ、そのレジストリデータは「ＬｉｍＤｒｖＩｎｓｔ＝１」であるか否かを判断することとなる。
【００３２】
レジストリ１３ｂ内に識別情報が存在すると判断した場合（ＳＴ２１：ＹＥＳ）、図７に示す処理は終了する。すなわち、識別情報が存在する場合、その後インストール処理が実行されることなく、図７に示す処理は終了する。
【００３３】
一方、レジストリ１３ｂ内に識別情報が存在しないと判断した場合（ＳＴ２１：ＮＯ）、ＣＰＵ１１は、ステップＳＴ２２〜ＳＴ２５の処理を実行する。この処理は、上記したステップＳＴ１〜ＳＴ４と同様の処理であるため、説明を省略する。そして、図７に示す処理は終了する。
【００３４】
図８は、プリンタの追加機能による標準ドライバのインストール方法を示すフローチャートである。まず、図８に示すように、ＣＰＵ１１は、「プリンタの追加」によるインストールが完了したか否かを判断する（ＳＴ３１）。インストールが完了したか否かは、画面上にアイコンが作成されたか否かによって判断される。「プリンタの追加」によるインストールが完了していないと判断した場合（ＳＴ３１：ＮＯ）、完了したと判断されるまで、この処理が繰り返される。
【００３５】
一方、「プリンタの追加」によるインストールが完了したと判断した場合（ＳＴ３１：ＹＥＳ）、処理はステップＳ３２に移行する。そして、ＣＰＵ１１は、レジストリ１３ｂ内に識別情報が存在するか否かを判断する（ＳＴ３２）。この処理は上記したステップＳＴ２１の処理を同様である。
【００３６】
レジストリ１３ｂ内に識別情報が存在すると判断した場合（ＳＴ３２：ＹＥＳ）、ＣＰＵ１１は、インストールされた標準ドライバを削除する旨のメッセージを表示する（ＳＴ３３）。
【００３７】
図９は、図８に示したステップＳＴ３３において表示されるメッセージの例を示す図である。図９に示すように、ＣＰＵ１１は、例えば「この環境では、専用のプリンタドライバをお使いください。標準版のプリンタドライバは削除されるので、専用のプリンタドライバを再インストールしてください。」などのメッセージを表示する。さらに、ＣＰＵ１１は、「ＯＫ」マークについても表示し、ユーザに確認を促している。
【００３８】
再度、図８を参照する。メッセージを表示後、標準ドライバはシステムフォルダ１３ａ内から削除される（ＳＴ３４）。その後、図８に示す処理は終了する。
【００３９】
一方、レジストリ１３ｂ内に識別情報が存在しないと判断した場合（ＳＴ３２：ＮＯ）、ＣＰＵ１１は、標準ドライバによる印刷処理を実行し（ＳＴ３５）、印刷処理が終了したか否かを判断する（ＳＴ３６）。印刷処理が終了していないと判断した場合（ＳＴ３６：ＮＯ）、処理はステップＳＴ３５に移行する。一方、印刷処理が終了したと判断した場合（ＳＴ３６：ＹＥＳ）、図８に示した処理は終了する。
【００４０】
このようにして、本実施形態に係る印刷指示装置１０、印刷指示プログラム及び印刷指示方法によれば、機能限定ドライバのインストール時に、機能限定ドライバをインストールしたことを示す識別情報を記憶し、標準ドライバのインストール時に、識別情報が記憶されているか否かを判断し、識別情報が記憶されていると判断した場合に、標準ドライバのインストールを禁止し、又は、インストールされた標準ドライバを削除する。このため、機能限定ドライバがインストールされた後に、標準ドライバをインストールしようとしても、ユーザは標準ドライバをインストールできず、またはインストールしたとしても標準ドライバを使用できないことなる。これにより、ユーザは、機能限定ドライバを使用することとなり、機能限定ドライバの利用価値を高めることができる。
【００４１】
また、標準ドライバをインストールするインストーラが記憶され、インストーラによって標準ドライバをインストールする操作が行われた場合、標準ドライバのインストールを禁止する。このため、インストーラを印刷指示装置１０にダウンロードした後に、このインストーラを使って標準ドライバをインストールしようとしても標準ドライバをインストールさせることなく、機能限定ドライバの利用価値を高めることができる。
【００４２】
また、標準ドライバをインストールするインストーラをダウンロードすることなく、標準ドライバをインストールする場合、インストールされた標準ドライバを削除する。このため、「プリンタの追加」の機能などにより標準ドライバをインストールする場合のように、インストール自体を禁止することができない場合には、インストールを禁止しないもののインストールされた標準ドライバを削除することとなる。これにより、ユーザに標準ドライバを使用させず、機能限定ドライバの利用価値を高めることができる。
【００４３】
また、インストールされた標準ドライバを削除した場合、機能限定ドライバをインストールする旨を表示する。このため、標準ドライバを使用できず、機能限定ドライバをインストールしなければ印刷をできない旨をユーザに伝えることができ、機能限定ドライバのインストールを促して、印刷ができなくなってしまう事態を防止することができる。
【００４４】
また、識別情報は、プリンタドライバの名称を示すレジストリキーと、レジストリキーにより示される名称のプリンタドライバが標準ドライバであるか機能限定ドライバであるかを示すレジストリデータとを有している。このため、レジストリキーによって、異なるプリンタドライバについて標準ドライバの使用を妨げることなく、レジストリデータによって、標準ドライバであるか機能限定ドライバであるかの区別を行うことができる。
【００４５】
以上、本発明に係る印刷指示装置及び方法を実施形態に基づいて説明したが、本発明はこれに限定されるものではなく、本発明の趣旨を逸脱しない範囲で、変更を加えてもよい。
【００４６】
例えば、上記実施形態において識別情報はレジストリ１３ｂ内に格納されているが、これに限らず、他の記憶領域に格納されていてもよい。また、識別情報の構成は、上記したものに限らず、他のものであってもよい。
【図面の簡単な説明】
【００４７】
【図１】本実施形態に係る印刷指示装置を含む印刷システムを示す構成図である。
【図２】ドライバのインストール方法の概略を示す概念図である。
【図３】図２に示した機能限定ドライバの機能構成を示す概念図である。
【図４】図２に示した標準ドライバの機能構成を示す概念図である。
【図５】インストーラを利用した機能限定ドライバのインストール方法を示すフローチャートである。
【図６】プリンタの追加機能による機能限定ドライバのインストール方法を示すフローチャートである。
【図７】インストーラを利用した標準ドライバのインストール方法を示すフローチャートである。
【図８】プリンタの追加機能による標準ドライバのインストール方法を示すフローチャートである。
【図９】図８に示したステップＳＴ３３において表示されるメッセージの例を示す図である。
【符号の説明】
【００４８】
１０  印刷指示装置
１１  ＣＰＵ
１２  メモリ
１３  記憶装置
１３ａ  システムフォルダ
１３ｂ  レジストリ
１４  入力装置
１５  表示装置
１６  入出力インターフェース
２０  印刷機器
１００，２００  ドライバコアモジュール
１０１，２０１  ユーザインターフェースモジュール
１０２  インストール情報記録モジュール
２０２  ドライバ削除モジュール
【図１】
2010129021.tif 000003
【図２】
2010129021.tif 000004
【図３】
2010129021.tif 000005
【図４】
2010129021.tif 000006
【図５】
2010129021.tif 000007
【図６】
2010129021.tif 000008
【図７】
2010129021.tif 000009
【図８】
2010129021.tif 000010
【図９】
2010129021.tif 000011